(57)【特許請求の範囲】
【請求項１】
車両で用いられ、
自車の走行環境における交通規則である現況交通規則を判断する規則判断部（１００，１００ｂ）と、
前記規則判断部で判断した前記現況交通規則に沿うように、自車のドライバの運転を支援する運転支援を行う支援部（１１０）と、
間違いが生じやすい交通規則である注目交通規則を格納している規則格納部（８１，８１ｂ）に格納されている注目交通規則に該当する前記現況交通規則に沿うように前記支援部で前記運転支援を行う場合に、その現況交通規則に沿うように前記運転支援を行うことによる自車の動作について、その動作の理由を示す動作理由情報を提示させる一方、前記注目交通規則以外の前記現況交通規則に沿った運転支援を行うことによる自車の動作については、その動作の理由を示す情報を提示させない提示制御部（１２０，１２０ａ，１２０ｂ）とを備える運転支援装置。
【請求項２】
請求項１において、
前記規則格納部（８１ｂ）は、地域によって異なる交通規則も、前記注目交通規則に含んでおり、
自車の位置する前記地域を特定する地域特定部（１５０）をさらに備え、
前記提示制御部（１２０ｂ）は、前記地域特定部で特定される地域が切り替わった場合には、前記現況交通規則が、前記規則格納部に格納されている前記注目交通規則のうちの、切り替わり前の地域との間で異なる交通規則に該当し、且つ、その現況交通規則に沿うように前記支援部で前記運転支援を行う場合にも、前記現況交通規則に沿うように前記運転支援を行うことによる自車の動作について、その動作の理由を示す動作理由情報を提示させる運転支援装置。
【請求項３】
請求項２において、
前記提示制御部は、地域によって異なる交通規則に該当する前記現況交通規則に沿うように前記運転支援を行うことによる前記動作理由情報を提示させる場合には、地域によらずに共通の交通規則に該当する前記現況交通規則に沿うように前記運転支援を行うことによる前記動作理由情報を提示させる場合に比べて、前記動作理由情報の内容を詳しく提示させる運転支援装置。
【請求項４】
車両で用いられ、
自車の走行環境における交通規則である現況交通規則を判断する規則判断部（１００，１００ｂ）と、
前記規則判断部で判断した前記現況交通規則に沿うように、自車のドライバの運転を支援する運転支援を行う支援部（１１０）と、
間違いが生じやすい交通規則である注目交通規則を格納している規則格納部（８１，８１ｂ）に格納されている注目交通規則に該当する前記現況交通規則に沿うように前記支援部で前記運転支援を行う場合に、その現況交通規則に沿うように前記運転支援を行うことによる自車の動作について、その動作の理由を示す動作理由情報を提示させる提示制御部（１２０，１２０ａ，１２０ｂ）とを備え、
前記規則格納部（８１ｂ）は、地域によって異なる交通規則も、前記注目交通規則に含んでおり、
自車の位置する前記地域を特定する地域特定部（１５０）をさらに備え、
前記提示制御部（１２０ｂ）は、前記地域特定部で特定される地域が切り替わった場合には、前記現況交通規則が、前記規則格納部に格納されている前記注目交通規則のうちの、切り替わり前の地域との間で異なる交通規則に該当し、且つ、その現況交通規則に沿うように前記支援部で前記運転支援を行う場合にも、前記現況交通規則に沿うように前記運転支援を行うことによる自車の動作について、その動作の理由を示す動作理由情報を提示させ、地域によって異なる交通規則に該当する前記現況交通規則に沿うように前記運転支援を行うことによる前記動作理由情報を提示させる場合には、地域によらずに共通の交通規則に該当する前記現況交通規則に沿うように前記運転支援を行うことによる前記動作理由情報を提示させる場合に比べて、前記動作理由情報の内容を詳しく提示させる運転支援装置。
【請求項５】
請求項１〜４のいずれか１項において、
前記支援部で行う前記運転支援は、自車の加速、制動、及び操舵の少なくともいずれかを自動で行わせる運転支援である運転支援装置。
【請求項６】
請求項５において、
前記支援部での前記運転支援の実施と不実施との設定は、切り替えられるものであり、
自車のドライバの運転操作による、前記注目交通規則に該当する前記現況交通規則の違反を検出する違反検出部（１４０）をさらに備え、
前記提示制御部（１２０ａ）は、前記注目交通規則に該当する前記現況交通規則に沿うように前記支援部で前記運転支援を行う際に、その現況交通規則の違反がその運転支援の不実施時において前記違反検出部で検出されていた場合には、その現況交通規則の違反が検出されていなかった場合に比べて、前記動作理由情報の内容を詳しく提示させる運転支援装置。
【請求項７】
車両で用いられ、
自車の走行環境における交通規則である現況交通規則を判断する規則判断部（１００，１００ｂ）と、
前記規則判断部で判断した前記現況交通規則に沿うように、自車のドライバの運転を支援する運転支援を行う支援部（１１０）と、
間違いが生じやすい交通規則である注目交通規則を格納している規則格納部（８１，８１ｂ）に格納されている注目交通規則に該当する前記現況交通規則に沿うように前記支援部で前記運転支援を行う場合に、その現況交通規則に沿うように前記運転支援を行うことによる自車の動作について、その動作の理由を示す動作理由情報を提示させる提示制御部（１２０，１２０ａ，１２０ｂ）とを備え、
前記支援部で行う前記運転支援は、自車の加速、制動、及び操舵の少なくともいずれかを自動で行わせる運転支援であり、
前記支援部での前記運転支援の実施と不実施との設定は、切り替えられるものであって、
自車のドライバの運転操作による、前記注目交通規則に該当する前記現況交通規則の違反を検出する違反検出部（１４０）をさらに備え、
前記提示制御部（１２０ａ）は、前記注目交通規則に該当する前記現況交通規則に沿うように前記支援部で前記運転支援を行う際に、その現況交通規則の違反がその運転支援の不実施時において前記違反検出部で検出されていた場合には、その現況交通規則の違反が検出されていなかった場合に比べて、前記動作理由情報の内容を詳しく提示させる運転支援装置。
【請求項８】
請求項５〜７のいずれか１項において、
前記支援部で行う前記運転支援は、少なくとも所定の区間において自車の加速、制動、及び操舵の全てを自動で行わせる自動運転である運転支援装置。
【請求項９】
請求項１〜８のいずれか１項において、
前記提示制御部は、前記運転支援を沿わせる前記現況交通規則が同一の事例に対しての、前記動作理由情報を提示させた回数が増加するのに応じて、その事例に対しての前記動作理由情報の提示を軽減させる運転支援装置。
【請求項１０】
請求項２において、
前記支援部で行う前記運転支援は、自車の加速、制動、及び操舵の少なくともいずれかを自動で行わせる運転支援であって、
前記支援部での前記運転支援の実施と不実施との設定は、切り替えられるものであり、
自車のドライバの運転操作による、前記注目交通規則に該当する前記現況交通規則の違反を検出する違反検出部（１４０）をさらに備え、
前記提示制御部（１２０ａ）は、前記違反検出部で前記現況交通規則の違反を検出した場合には、その現況交通規則が同一の事例に対しての前記動作理由情報の提示を軽減させていた場合であっても、その動作理由情報の提示の軽減の程度を減らす運転支援装置。
【請求項１１】
車両で用いられ、
自車の走行環境における交通規則である現況交通規則を判断する規則判断部（１００，１００ｂ）と、
前記規則判断部で判断した前記現況交通規則に沿うように、自車のドライバの運転を支援する運転支援を行う支援部（１１０）と、
間違いが生じやすい交通規則である注目交通規則を格納している規則格納部（８１，８１ｂ）に格納されている注目交通規則に該当する前記現況交通規則に沿うように前記支援部で前記運転支援を行う場合に、その現況交通規則に沿うように前記運転支援を行うことによる自車の動作について、その動作の理由を示す動作理由情報を提示させる提示制御部（１２０，１２０ａ，１２０ｂ）とを備え、
前記支援部で行う前記運転支援は、自車の加速、制動、及び操舵の少なくともいずれかを自動で行わせる運転支援であって、
前記支援部での前記運転支援の実施と不実施との設定は、切り替えられるものであり、
自車のドライバの運転操作による、前記注目交通規則に該当する前記現況交通規則の違反を検出する違反検出部（１４０）をさらに備え、
前記提示制御部は、前記運転支援を沿わせる前記現況交通規則が同一の事例に対しての、前記動作理由情報を提示させた回数が増加するのに応じて、その事例に対しての前記動作理由情報の提示を軽減させる一方、前記違反検出部で前記現況交通規則の違反を検出した場合には、その現況交通規則が同一の事例に対しての前記動作理由情報の提示を軽減させていた場合であっても、その動作理由情報の提示の軽減の程度を減らす運転支援装置。
【請求項１２】
請求項１１において、
前記支援部で行う前記運転支援は、少なくとも所定の区間において自車の加速、制動、及び操舵の全てを自動で行わせる自動運転である運転支援装置。
【請求項１３】
請求項９〜１２のいずれか１項において、
前記提示制御部は、前記運転支援を沿わせる前記現況交通規則が同一の事例に対しての、前記動作理由情報を提示させた回数が増加するのに応じて、その事例に対しての前記動作理由情報を提示する頻度を減らす運転支援装置。
【請求項１４】
請求項９〜１２のいずれか１項において、
前記提示制御部は、前記運転支援を沿わせる前記現況交通規則が同一の事例に対しての、前記動作理由情報を提示させた回数が閾値に達した場合に、その事例に対しての前記動作理由情報の提示を停止する運転支援装置。
【請求項１５】
請求項９〜１４のいずれか１項において、
前記提示制御部は、前記運転支援を沿わせる前記現況交通規則が同一の事例に対しての、前記動作理由情報を提示させた回数が増加するのに応じて、その事例に対しての前記動作理由情報の提示態様を変えさせることで前記動作理由情報の提示を軽減させる運転支援装置。
【発明の詳細な説明】
【技術分野】
【０００１】
本発明は、ドライバの運転を支援する運転支援装置に関するものである。
【背景技術】
【０００２】
従来、ドライバの運転を支援する技術が知られている。例えば、特許文献１には、追越し禁止の規制標識を画像処理によって認識した場合において、ドライバが追越し準備と解釈される操作を行なったときに、警告を発したり、自車位置及び状況に応じた走行補助動作を行ったりといった運転支援を行う技術が開示されている。
【先行技術文献】
【特許文献】
【０００３】
【特許文献１】特開２０００−９０３９３号公報
【発明の概要】
【発明が解決しようとする課題】
【０００４】
しかしながら、特許文献１に開示の技術では、ドライバが規制標識の表す内容を正しく覚えていない場合に、運転支援に対してドライバが違和感を抱いてしまう場合がある。例えば、ドライバが追越し禁止の規制標識の表す内容を正しく覚えていない場合には、ドライバは追越しを禁止されることを想定していないので、追越しを禁止するように促す運転支援に対して違和感を抱いてしまう場合がある。他の例としては、ドライバが追越しのための右側部分はみ出し通行禁止の規制標識を、追越し禁止の規制標識と勘違いして覚えている場合には、ドライバは追越しが禁止されていると想定しているので、右側部分にはみ出さずに追越しのための走行補助動作を行う運転支援に対して違和感を抱いてしまう場合がある。このような違和感は、運転支援を行う装置に対しての誤った不満、或いは不安をドライバに生じさせてしまうおそれがある。
【０００５】
本発明は、上記従来の問題点に鑑みなされたものであって、その目的は、ドライバが交通規則を正しく覚えていない場合であっても、交通規則に沿った運転支援に違和感を抱きにくくする運転支援装置を提供することにある。
【課題を解決するための手段】
【０００６】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【０００７】
上記目的を達成するために、本発明に係る第１の運転支援装置は、車両で用いられ、自車の走行環境における交通規則である現況交通規則を判断する規則判断部（１００，１００ｂ）と、規則判断部で判断した現況交通規則に沿うように、自車のドライバの運転を支援する運転支援を行う支援部（１１０）と、間違いが生じやすい交通規則である注目交通規則を格納している規則格納部（８１，８１ｂ）に格納されている注目交通規則に該当する現況交通規則に沿うように支援部で運転支援を行う場合に、その現況交通規則に沿うように運転支援を行うことによる自車の動作について、その動作の理由を示す動作理由情報を提示させる一方、注目交通規則以外の現況交通規則に沿った運転支援を行うことによる自車の動作については、その動作の理由を示す情報を提示させない提示制御部（１２０，１２０ａ，１２０ｂ）とを備える。
上記目的を達成するために、本発明に係る第２の運転支援装置は、車両で用いられ、自車の走行環境における交通規則である現況交通規則を判断する規則判断部（１００，１００ｂ）と、規則判断部で判断した現況交通規則に沿うように、自車のドライバの運転を支援する運転支援を行う支援部（１１０）と、間違いが生じやすい交通規則である注目交通規則を格納している規則格納部（８１，８１ｂ）に格納されている注目交通規則に該当する現況交通規則に沿うように支援部で運転支援を行う場合に、その現況交通規則に沿うように運転支援を行うことによる自車の動作について、その動作の理由を示す動作理由情報を提示させる提示制御部（１２０，１２０ａ，１２０ｂ）とを備え、規則格納部（８１ｂ）は、地域によって異なる交通規則も、注目交通規則に含んでおり、自車の位置する地域を特定する地域特定部（１５０）をさらに備え、提示制御部（１２０ｂ）は、地域特定部で特定される地域が切り替わった場合には、現況交通規則が、規則格納部に格納されている注目交通規則のうちの、切り替わり前の地域との間で異なる交通規則に該当し、且つ、その現況交通規則に沿うように支援部で運転支援を行う場合にも、現況交通規則に沿うように運転支援を行うことによる自車の動作について、その動作の理由を示す動作理由情報を提示させ、地域によって異なる交通規則に該当する現況交通規則に沿うように運転支援を行うことによる動作理由情報を提示させる場合には、地域によらずに共通の交通規則に該当する現況交通規則に沿うように運転支援を行うことによる動作理由情報を提示させる場合に比べて、動作理由情報の内容を詳しく提示させる。
上記目的を達成するために、本発明に係る第３の運転支援装置は、車両で用いられ、自車の走行環境における交通規則である現況交通規則を判断する規則判断部（１００，１００ｂ）と、規則判断部で判断した現況交通規則に沿うように、自車のドライバの運転を支援する運転支援を行う支援部（１１０）と、間違いが生じやすい交通規則である注目交通規則を格納している規則格納部（８１，８１ｂ）に格納されている注目交通規則に該当する現況交通規則に沿うように支援部で運転支援を行う場合に、その現況交通規則に沿うように運転支援を行うことによる自車の動作について、その動作の理由を示す動作理由情報を提示させる提示制御部（１２０，１２０ａ，１２０ｂ）とを備え、支援部で行う運転支援は、自車の加速、制動、及び操舵の少なくともいずれかを自動で行わせる運転支援であり、支援部での運転支援の実施と不実施との設定は、切り替えられるものであって、自車のドライバの運転操作による、注目交通規則に該当する現況交通規則の違反を検出する違反検出部（１４０）をさらに備え、提示制御部（１２０ａ）は、注目交通規則に該当する現況交通規則に沿うように支援部で運転支援を行う際に、その現況交通規則の違反がその運転支援の不実施時において違反検出部で検出されていた場合には、その現況交通規則の違反が検出されていなかった場合に比べて、動作理由情報の内容を詳しく提示させる。
上記目的を達成するために、本発明に係る第４の運転支援装置は、車両で用いられ、自車の走行環境における交通規則である現況交通規則を判断する規則判断部（１００，１００ｂ）と、規則判断部で判断した現況交通規則に沿うように、自車のドライバの運転を支援する運転支援を行う支援部（１１０）と、間違いが生じやすい交通規則である注目交通規則を格納している規則格納部（８１，８１ｂ）に格納されている注目交通規則に該当する現況交通規則に沿うように支援部で運転支援を行う場合に、その現況交通規則に沿うように運転支援を行うことによる自車の動作について、その動作の理由を示す動作理由情報を提示させる提示制御部（１２０，１２０ａ，１２０ｂ）とを備え、支援部で行う運転支援は、自車の加速、制動、及び操舵の少なくともいずれかを自動で行わせる運転支援であって、支援部での運転支援の実施と不実施との設定は、切り替えられるものであり、自車のドライバの運転操作による、注目交通規則に該当する現況交通規則の違反を検出する違反検出部（１４０）をさらに備え、提示制御部は、運転支援を沿わせる現況交通規則が同一の事例に対しての、動作理由情報を提示させた回数が増加するのに応じて、その事例に対しての動作理由情報の提示を軽減させる一方、違反検出部で現況交通規則の違反を検出した場合には、その現況交通規則が同一の事例に対しての動作理由情報の提示を軽減させていた場合であっても、その動作理由情報の提示の軽減の程度を減らす。
【０００８】
これによれば、間違いが生じやすい交通規則に沿うように運転支援が行われる場合に、この運転支援を行うことによる自車の動作の理由を示す動作理由情報が提示されるので、ドライバが自車の動作の理由を認識することができる。よって、ドライバが正しく覚えていない交通規則に沿うように運転支援を行い、自車がドライバの想定する動作と異なる動作をする場合であっても、ドライバがその動作の理由を認識できる。従って、ドライバが交通規則を正しく覚えていない場合であっても、ドライバが運転支援に対して違和感を抱きにくくなる。
【図面の簡単な説明】
【０００９】
【図１】運転支援システム１の概略的な構成の一例を示す図である。
【図２】運転支援ＥＣＵ７の概略的な構成の一例を示す図である。
【図３】「追越し禁止」の規制標識の一例を示す図である。
【図４】「追越しのための右側部分はみ出し通行禁止」の規制標識の一例を示す図である。
【図５】「警笛鳴らせ」の規制標識の一例を示す図である。
【図６】「警笛区間」の規制標識の一例を示す図である。
【図７】「停止禁止部分」の規制標示の一例を示す図である。
【図８】「立ち入り禁止部分」の規制標示の一例を示す図である。
【図９】「安全地帯」の指示標示の一例を示す図である。
【図１０】「導流帯」の区画線の一例を示す図である。
【図１１】動作理由情報の提示回数に応じた提示の軽減の一例を説明するための図である。
【図１２】運転支援ＥＣＵ７での動作理由提示関連処理の流れの一例を示すフローチャートである。
【図１３】動作理由情報の提示回数に応じた提示の軽減の一例を説明するための図である。
【図１４】動作理由情報の提示回数に応じた提示の軽減の一例を説明するための図である。
【図１５】運転支援ＥＣＵ７ａの概略的な構成の一例を示す図である。
【図１６】運転支援ＥＣＵ７ｂの概略的な構成の一例を示す図である。
【発明を実施するための形態】
【００１０】
図面を参照しながら、開示のための複数の実施形態及び変形例を説明する。なお、説明の便宜上、複数の実施形態及び変形例の間において、それまでの説明に用いた図に示した部分と同一の機能を有する部分については、同一の符号を付し、その説明を省略する場合がある。同一の符号を付した部分については、他の実施形態及び／又は変形例における説明を参照することができる。
【００１１】
また、以下に示す実施形態及び変形例は、左側通行が法制化されている地域に対応した実施形態及び変形例であり、右側通行が法制化されている地域では、以下の実施形態と左右が逆になる。
【００１２】
（実施形態１）
以下、本発明の実施形態１について図面を用いて説明する。図１に示す運転支援システム１は、車両に搭載されるものであり、ＡＤＡＳ（Advanced Driver Assistance Systems）ロケータ２、ＩＴＳ（Intelligent Transport Systems）通信機３、周辺監視システム４、ＨＭＩ（Human Machine Interface）システム５、車両制御システム６、運転支援ＥＣＵ７、及びデータベース（以下、ＤＢ）８を含んでいる。ＡＤＡＳロケータ２、ＩＴＳ通信機３、周辺監視システム４、ＨＭＩシステム５、車両制御システム６、及び運転支援ＥＣＵ７は、例えば車内ＬＡＮ９に接続されており、通信によって互いに情報をやり取りすることができる。運転支援システム１を搭載している車両を以降では自車と呼ぶ。
【００１３】
ＡＤＡＳロケータ２は、ＧＮＳＳ受信機、３Ｄジャイロセンサ等の慣性センサ、地図データを格納するメモリを備えている。ＧＮＳＳ（Global Navigation Satellite System）受信機は、複数の人工衛星からの測位信号を受信する。３Ｄジャイロセンサは、例えば３軸ジャイロセンサ及び３軸加速度センサを備える。
【００１４】
ＡＤＡＳロケータ２は、ＧＮＳＳ受信機で受信する測位信号と、慣性センサの計測結果とを組み合わせることにより、自車位置を測位する。自車位置は、例えば緯度／経度の座標とすればよい。ＡＤＡＳロケータ２は、メモリから、自車の進路前方のリンクデータ、ノードデータ、道路形状、道路標示、構造物等の地図データを読み出す。ＡＤＡＳロケータ２は、自車位置と、読み出した進路前方の地図データとを、車内ＬＡＮ９へ逐次出力する。
【００１５】
リンクデータは、リンクを特定する固有番号（リンクＩＤ）、リンクの長さを示すリンク長、リンク方向、リンクの形状情報、リンクの始端と終端とのノード座標（緯度／経度）、及び道路属性の各データから構成される。道路属性としては、道路名称、道路種別、道路幅員、車線数、及び速度規制値等がある。一方、ノードデータは、地図上のノード毎に固有の番号を付したノードＩＤ、ノード座標、ノード名称、ノード種別、ノードに接続するリンクのリンクＩＤが記述される接続リンクＩＤ、交差点種別等の各データから構成される。
【００１６】
ＩＴＳ通信機３は、自車の周辺車両に搭載された車載通信機及び／又は路側に設置された路側機との間で、無線通信を行う。例えばＩＴＳ通信機３は、車載通信機との車車間通信、路側機との路車間通信により、自車の周辺車両の位置情報及び走行速度情報等を取得する。ＩＴＳ通信機３は、取得した情報を車内ＬＡＮ９へ出力する。
【００１７】
周辺監視システム４は、周辺監視カメラ４１、ミリ波レーダ４２、ソナー４３、ＬＩＤＡＲ（Light Detection and Ranging/Laser Imaging Detect ion and Ranging）４４等の周辺監視センサと、周辺監視ＥＣＵ４０とを備えている。周辺監視システム４は、歩行者、人間以外の動物、自転車、オートバイ、及び他車等の移動物体、さらに路上の落下物、ガードレール、縁石、及び樹木等の静止物体といった障害物を検出する。他にも、走行区画線を検出したり、信号機の灯色、道路標示、道路標識の表示を検出したりする。
【００１８】
ＨＭＩシステム５は、コンビネーションメータ５２、ＣＩＤ（Center Information Display）５３、ＨＵＤ（Head-Up Display）装置５４等の複数の表示デバイスを備えている。さらにＨＭＩシステム５は、操作デバイス５１、及びオーディオスピーカ５５を備えている。ＨＭＩシステム５は、自車のドライバからの入力操作を受け付けたり、自車のドライバに向けて情報を提示したりする。
【００１９】
車両制御システム６は、アクセルポジションセンサ６１、ブレーキ踏力センサ６２、舵角センサ６３等の運転操作を検出する検出センサと、自車の走行状態を検出する車速センサ６４等とを備えている。加えて車両制御システム６は、電子制御スロットル６５、ブレーキアクチュエータ６６、及びＥＰＳ（Electric Power Steering）モータ６７等の走行制御デバイスと、車両制御ＥＣＵ６０とを備えている。車両制御システム６は、運転者による運転操作、運転支援ＥＣＵ７からの指示等に基づいて、自車の走行を制御する。
【００２０】
運転支援ＥＣＵ７は、揮発性メモリ、不揮発性メモリ、Ｉ／Ｏ、これらを接続するバスを備え、不揮発性メモリに記憶された制御プログラムを実行することで各種の処理を実行する。なお、運転支援ＥＣＵ７が実行する機能の一部または全部を、一つあるいは複数のＩＣ等によりハードウェア的に構成してもよい。
【００２１】
運転支援ＥＣＵ７は、車両制御ＥＣＵ６０を制御することにより、ドライバによる運転操作の支援又は代行を行う複数の運転支援アプリケーション（以下、運転支援アプリ）を実行する。運転支援ＥＣＵ７については、後に詳述する。
【００２２】
ＤＢ８は、運転支援ＥＣＵ７で用いるデータを格納している。ＤＢ８は、規則ＤＢ８１と、学習用ＤＢ８２とを備えている。規則ＤＢ８１は、ドライバが間違いやすい交通規則（以下、注目交通規則）を格納している。ここで言うところの交通規則とは、法令で定められた規則に限らず、遵守が推奨された規則も含むものとする。規則ＤＢ８１が請求項の規則格納部に相当する。
【００２３】
注目交通規則の一例としては、規制標識が示す「追越し禁止」，「追越しのための右側部分はみ出し通行禁止」，「警笛鳴らせ」，「警笛区間」等の交通規則がある。また、規制標示が示す「停止禁止部分」，「立ち入り禁止部分」等の交通規則、指示標示が示す「安全地帯」等の交通規則，区画線が示す「導流帯（つまり、ゼブラゾーン）」等の交通規則がある。他にも、「追越し車線を走行し続けてはいけない」、「信号機のない交差点での非優先道路からの進入時に一時停止しなければならない」等の交通規則がある。
【００２４】
学習用ＤＢ８２については後に詳述する。規則ＤＢ８１と学習用ＤＢ８２とは、それぞれ異なる記憶媒体に格納される構成に限らず、同一の記憶媒体に格納される構成としてもよい。
【００２５】
＜周辺監視システム４の概略構成＞
ここで、周辺監視システム４の概略構成について説明を行う。周辺監視システム４は、周辺監視ＥＣＵ４０、周辺監視カメラ４１、ミリ波レーダ４２、ソナー４３、及びＬＩＤＡＲ４４を備えている。
【００２６】
周辺監視カメラ４１は、単眼式若しくは複眼式のカメラであって、自車の周辺を逐次撮像する。以下では、周辺監視カメラ４１として、少なくとも前方カメラを備える場合を例に挙げて説明を行う。なお、周辺監視カメラ４１として、自車の後方の所定範囲を撮像範囲とする後方カメラ等の他の方向を撮像するカメラを用いる構成としてもよい。
【００２７】
周辺監視カメラ４１は、光軸を自車前方の路面に向けて、例えば自車のルームミラーに設置される。周辺監視カメラ４１は、例えば約４５度程度の水平視野角度で自車から約８０メートルの範囲を撮像する。そして、周辺監視カメラ４１は、逐次撮像する撮像画像のデータを、周辺監視ＥＣＵ４０へ逐次出力する。
【００２８】
ミリ波レーダ４２は、自車の周辺にミリ波又は準ミリ波を逐次送出し、障害物によって反射された反射波を逐次受信する。そして、ミリ波レーダ４２は、受信信号に基づく走査結果を周辺監視ＥＣＵ４０へ逐次出力する。
【００２９】
ソナー４３は、自車の周辺に超音波を逐次送出し、障害物によって反射された反射波を逐次受信する。そして、ソナー４３は、受信信号に基づく検知結果を周辺監視ＥＣＵ４０へ逐次出力する。
【００３０】
ＬＩＤＡＲ４４は、自車の周辺にレーザ光を逐次送出し、障害物によって反射された反射波を逐次受信する。そして、ＬＩＤＡＲ４４は、受信信号に基づく走査結果を周辺監視ＥＣＵ４０へ逐次出力する。
【００３１】
周辺監視ＥＣＵ４０は、ＣＰＵ、揮発性メモリ、不揮発性メモリ、Ｉ／Ｏ、これらを接続するバスを備え、不揮発性メモリに記憶された制御プログラムを実行することで各種の処理を実行する。なお、周辺監視ＥＣＵ４０が実行する機能の一部または全部を、一つあるいは複数のＩＣ等によりハードウェア的に構成してもよい。
【００３２】
周辺監視ＥＣＵ４０は、周辺監視センサでのセンシング結果から、自車の走行環境を認識する。例えば、周辺監視カメラ４１から取得した撮像画像のデータから、自車周辺に存在する物体について、自車からの距離、自車に対する相対位置、自車に対する相対速度等を検出する構成としてもよい。一例として、テンプレートマッチング等の周知の画像認識処理によって、自動車、自転車、自動二輪車といった車両、歩行者等を検出の対象とすればよい。また、スクールバスといった車両の種類まで画像認識処理によって判別する構成としてもよい。
【００３３】
なお、単眼カメラを用いる場合には、自車に対する周辺監視カメラ４１の設置位置及び光軸の向きと撮像画像中での物体の位置とから、自車に対する物体の相対位置及び自車と物体との距離を決定すればよい。複眼カメラを用いる場合には、一対のカメラの視差量をもとに自車と物体との距離を決定すればよい。さらに、自車と物体との車間距離の変化率から自車に対する物体の相対速度を決定すればよい。例えば、検出した物体が車両であって、自車に対する相対位置が自車前方である場合は、この物体を先行車として扱えばよい。
【００３４】
他にも、周辺監視ＥＣＵ４０は、周辺監視カメラ４１から取得した撮像画像のデータから、画像認識処理によって、道路標識及び道路標示を検出する。道路標識及び道路標示についても、上述したのと同様にして、自車からの距離、自車に対する相対位置、自車に対する相対速度等を検出すればよい。
【００３５】
また、周辺監視ＥＣＵ４０は、周辺監視カメラ４１から取得した撮像画像のデータから、走行区画線、自車に対する走行区画線の位置等を検出する構成としてもよい。走行区画線は、エッジ検出等の周知の画像認識処理によって検出すればよい。自車に対する走行区画線の位置は、自車に対する周辺監視カメラ４１の設置位置及び光軸の向きと撮像画像中での物体の位置とから検出すればよい。走行区画線、及び自車に対する走行区画線の位置は、ＬＩＤＡＲ４４を用いて検出する構成としてもよい。
【００３６】
他にも、周辺監視ＥＣＵ４０は、ミリ波レーダ４２、ソナー４３、ＬＩＤＡＲ４４を用いて、自車の周辺に存在する物体について、自車からの距離、自車に対する相対位置、自車に対する相対速度等を検出する構成としてもよい。
【００３７】
周辺監視ＥＣＵ４０は、ミリ波レーダ４２、ソナー４３、ＬＩＤＡＲ４４といった周辺監視センサが送出した探査波が物体に反射して生じた反射波の受信強度に基づいて物体を検出する。また、周辺監視ＥＣＵ４０は、探査波を送出してから反射波を受信するまでの時間から自車と物体との距離を検出する。さらに、周辺監視ＥＣＵ４０は、反射波の得られた探査波を送信した方向から自車に対する物体の方向を検出する。そして、自車と物体との距離及び自車に対する物体の方向から、自車に対する物体の相対位置を検出する。
【００３８】
また、周辺監視ＥＣＵ４０は、送出した探査波と反射波とのドップラーシフトをもとに、公知の方法によって自車に対する物体の相対速度を検出する。なお、自車に対する物体の相対速度は、自車と物体との距離の時間変化率から検出してもよい。周辺監視ＥＣＵ４０は、検出した各種の情報を、監視情報として車内ＬＡＮ９に出力する。
【００３９】
周辺監視ＥＣＵ４０は、周辺監視センサのセンシング結果以外を用いて自車の走行環境を認識してもよい。例えば、周辺監視ＥＣＵ４０は、ＡＤＡＳロケータ２から取得した自車位置と、進路前方の車線数、道路形状等の地図データとから、自車の走行中の車線を検出してもよい。他にも、周辺監視ＥＣＵ４０は、ＩＴＳ通信機３から取得した周辺車両の位置情報及び走行速度情報等を用いて、周辺車両の存在、自車との距離、自車に対する位置、速度を検出してもよい。
【００４０】
なお、周辺監視システム４が備える周辺監視センサの数、種類、種類の組み合わせは実施形態１で示した例に限らない。例えば、自車の前方のセンシングをカメラとミリ波レーダとを併用して行う等、複数種類の周辺監視センサが重複したセンシング範囲を有する構成としてもよい。
【００４１】
＜ＨＭＩシステム５の概略構成＞
続いて、ＨＭＩシステム５の概略構成について説明を行う。ＨＭＩシステム５は、ＨＣＵ（Human Machine Interface Control Unit）５０、操作デバイス５１、コンビネーションメータ５２、ＣＩＤ５３、ＨＵＤ装置５４、及びオーディオスピーカ５５を備えている。
【００４２】
操作デバイス５１は、自車のドライバが操作するスイッチ群である。例えば、操作デバイス５１としては、自車のステアリングのスポーク部に設けられたステアリングスイッチがある。ステアリングスイッチは、ドライバが運転支援アプリの起動の要否等を含む各種設定を行うために用いられたりする。
【００４３】
コンビネーションメータ５２は、自車の車室内にて運転席の前方に配置されている。ＣＩＤ５３は、自車の車室内にてセンタクラスタの上方に配置されている。コンビネーションメータ５２及びＣＩＤ５３は、ＨＣＵ５０から取得した画像データに基づいて、情報通知のための種々の画像をディスプレイの表示画面に表示する。
【００４４】
ＨＵＤ装置５４は、ＨＣＵ５０から取得した画像データに基づいて表示素子に形成された表示画像を、自車のウインドシールドに投影することにより、表示画像の虚像を自車の室内から前方の外界風景と重ねて視認可能に表示させる。ＨＵＤ装置５４は、虚像表示された表示物によってドライバへ情報提示を行う。
【００４５】
オーディオスピーカ５５は、例えば自車のドアの内張り内に設置され、自車のドライバによって聞き取り可能な音又は音声を再生する。具体的には、機械的なビープ音、メッセージ等の合成音声等がオーディオスピーカ５５から出力される。オーディオスピーカ５５は、再生する音及び音声によってドライバへ向けた情報提示を行う。
【００４６】
ＨＣＵ５０は、ＣＰＵ、揮発性メモリ、不揮発性メモリ、Ｉ／Ｏ、これらを接続するバスを備え、不揮発性メモリに記憶された制御プログラムを実行することで各種の処理を実行する。なお、ＨＣＵ５０が実行する機能の一部または全部を、一つあるいは複数のＩＣ等によりハードウェア的に構成してもよい。
【００４７】
ＨＣＵ５０は、コンビネーションメータ５２、ＣＩＤ５３、ＨＵＤ装置５４、オーディオスピーカ５５を制御して情報を提示することで、ドライバに向けた情報提示を行う。また、ＨＣＵ５０は、操作デバイス５１でのスイッチ操作に応じた信号を車内ＬＡＮ９に出力する。
【００４８】
＜車両制御システム６の概略構成＞
続いて、車両制御システム６の概略構成について説明を行う。車両制御システム６は、車両制御ＥＣＵ６０、アクセルポジションセンサ６１、ブレーキ踏力センサ６２、舵角センサ６３、車速センサ６４、電子制御スロットル６５、ブレーキアクチュエータ６６、及びＥＰＳモータ６７を備えている。
【００４９】
アクセルポジションセンサ６１は、ドライバによるアクセルペダルの踏み込み量を検出し、車両制御ＥＣＵ６０へ出力する。ブレーキ踏力センサ６２は、ドライバによるブレーキペダルの踏力を検出し、車両制御ＥＣＵ６０へ出力する。舵角センサ６３は、舵角として自車の操舵角若しくは転舵角を検出する。車速センサ６４は、変速機の出力軸又は車軸の回転速度を計測することにより、自車の現在の走行速度を検出し、車両制御ＥＣＵ６０へ出力する。
【００５０】
電子制御スロットル６５は、車両制御ＥＣＵ６０から出力される制御信号に基づき、スロットルの開度を制御する。ブレーキアクチュエータ６６は、車両制御ＥＣＵ６０から出力される制御信号に基づいたブレーキ圧の発生により、各車輪に発生させる制動力を制御する。ＥＰＳモータ６７は、車両制御ＥＣＵ６０から出力される制御信号に基づき、ステアリング機構に印加される操舵力及び保舵力を制御する。
【００５１】
車両制御ＥＣＵ６０は、自車の加減速制御及び／又は操舵制御を行う電子制御装置である。車両制御ＥＣＵ６０としては、操舵制御を行う操舵ＥＣＵ、加速と制動といった加減速制御を行うパワーユニット制御ＥＣＵ及びブレーキＥＣＵ等がある。車両制御ＥＣＵ６０は、アクセルポジションセンサ６１、ブレーキ踏力センサ６２、舵角センサ６３、車速センサ６４等の各センサから出力される検出信号をもとに、電子制御スロットル６５、ブレーキアクチュエータ６６、及びＥＰＳモータ６７等の各走行制御デバイスへ制御信号を出力する。車両制御ＥＣＵ６０は、運転支援アプリの実行時には、運転支援ＥＣＵ７からの指示に従って自車の加減速制御及び／又は操舵制御を行う。また、車両制御ＥＣＵ６０は、上述の各センサ６１〜６４から出力された検出信号を車内ＬＡＮ９へも出力する。
【００５２】
＜運転支援ＥＣＵ７の概略構成＞
続いて、図２を用いて運転支援ＥＣＵ７の概略構成を説明する。運転支援ＥＣＵ７は、図２に示すように、規則判断部１００、支援部１１０、及び提示制御部１２０を備えている。この運転支援ＥＣＵ７が請求項の運転支援装置に相当する。
【００５３】
規則判断部１００は、ＡＤＡＳロケータ２及び／又は周辺監視ＥＣＵ４０から得られる情報をもとに、現在の自車の走行環境における交通規則（以下、現況交通規則）を判断する。自車の走行環境には、自車位置、自車が走行している道路区間、自車が走行している車線、自車と周囲の物体との位置関係等がある。
【００５４】
例えば、規則判断部１００は、周辺監視ＥＣＵ４０から道路標識若しくは道路標示の表示といった監視情報が得られる場合には、その道路標識若しくは道路標示が示す交通規則を、現況交通規則として判断する。道路標識若しくは道路標示が示す交通規則を判断する一例としては、道路標識若しくは道路標示とそれが示す交通規則の内容とを対応付けたテーブルを参照する等の方法がある。このテーブルは、例えば規則ＤＢ８１に格納されていてもよい。周辺監視ＥＣＵ４０で道路標識若しくは道路標示が示す交通規則まで認識する場合には、その認識結果から判断すればよい。
【００５５】
道路標識が示す交通規則の例としては、図３に示す「追越し禁止」の規制標識であれば、「追越し禁止」である。図４に示す「追越しのための右側部分はみ出し通行禁止」の規制標識であれば、「追越しのための右側部分はみ出し通行禁止」である。この規制標識が示す規則の内容は、「車線から右側部分にはみ出さず、追い抜く車両と１ｍ以上の幅を空けられる条件を満たす場合には追越し許可、この条件を満たさない場合には追越し禁止」である。図５に示す「警笛鳴らせ」の規制標識であれば、「警笛鳴らせ」である。図６に示す「警笛区間」の規制標識であれば「警笛区間」である。この規制標識が示す規則の内容は、「警笛区間内において見通しのきかない場合に警笛を鳴らす」である。道路標識が示す交通規則は、以上の例に限らず、「最高速度」の規制標識である場合の「最高速度」、「一時停止」の規制標識である場合の「一時停止」等の他の交通規則であってもよい。
【００５６】
道路標示が示す交通規則の例としては、図７に示す「停止禁止部分」の規制標示であれば、「停止禁止部分」である。この規制標示が示す規則の内容は、「停止禁止部分への侵入は許可するが停止は禁止」である。図８に示す「立ち入り禁止部分」の規制標示であれば、「立ち入り禁止部分」である。この規制標示が示す規則の内容は、「立ち入り禁止部分への侵入禁止」である。図９に示す「安全地帯」の指示標示であれば、「安全地帯」である。この指示標示の示す規則の内容は、「安全地帯への侵入禁止及び前後１０ｍで駐停車禁止」である。図１０に示す「導流帯」の区画線であれば、「導流帯」である。この区画線が示す規則の内容は、「導流帯へ侵入しないことが推奨されるが、侵入可能」である。
【００５７】
また、ＡＤＡＳロケータ２及び／又は周辺監視ＥＣＵ４０から得られる情報をもとに、道路標識及び道路標示で示される以外の交通規則も、現況交通規則として判断する。一例としては、自車がおかれた状況とそれが示す交通規則の内容とを対応付けたテーブルを参照する等の方法がある。このテーブルは、例えば規則ＤＢ８１に格納されていてもよい。
【００５８】
判断の例としては、自車の走行する車線が追越し車線であって、周辺監視センサのセンシング範囲内の走行車線に車両が存在しない場合には、「追越し車線を走行し続けてはいけない」交通規則と判断する。自車の走行する車線、及び周辺監視センサのセンシング範囲内の走行車線における車両の有無は、周辺監視ＥＣＵ４０から取得する監視情報をもとに判断できる。
【００５９】
他の例としては、自車が信号機のない交差点に非優先道路から進入する場合には、「信号機のない交差点での非優先道路からの進入時に一時停止しなければならない」交通規則と判断する。信号機の有無及び非優先道路の走行は、ＡＤＡＳロケータ２から取得する自車位置及び進路前方の地図データから判断すればよい。非優先道路の判断は、交差道路との車線数、道路幅員等の比較によって行えばよい。
【００６０】
支援部１１０は、運転支援に関する処理を行う。支援部１１０は、運転支援ＥＣＵ７の不揮発性メモリに記憶された制御プログラムを実行することで、ＡＣＣ（Adaptive Cruise Control）、ＬＫＡ（Lane Keeping Assist）、ＬＣＡ（Lane Change Assist）、ＡＥＢ（Autonomous Emergency Braking）、警笛を自動で鳴らす機能等の運転支援アプリを実行する。
【００６１】
ＡＣＣでは、周辺監視ＥＣＵ４０から取得する先行車の監視情報に基づき、車両制御ＥＣＵ６０に駆動力及び制動力を調整させることで、自車の走行速度を制御する。ＡＣＣでは、先行車が検出されていない場合には、例えば操作デバイス５１を介してドライバによって設定された目標走行速度で、自車を定速走行させる。一方、先行車が検出されている場合には、先行車の速度を目標走行速度として、この目標走行速度に応じた先行車までの目標車間距離を設定する。そして、この目標車間距離となるように加減速制御を行いつつ、自車を先行車に追従走行させる。先行車の速度は、周辺監視ＥＣＵ４０で検出した自車に対する先行車の相対速度と、自車の車速センサ６４の検出信号が示す自車の車速とから求めればよい。
【００６２】
ＬＫＡでは、車両制御ＥＣＵ６０に操舵力を調整させることで、自車の操舵輪の舵角を制御する。ＬＫＡでは、走行区画線への接近を阻む方向への操舵力を発生させることで自車を自車線内に維持して走行させる。自車を自車線内に維持して走行させる運転支援アプリとしては、予め算出した目標走行軌跡に沿うように舵角を制御する運転支援アプリを用いる構成としてもよい。
【００６３】
ＡＥＢでは、周辺監視ＥＣＵ４０から取得する自車前方の監視情報に基づいて、車両制御ＥＣＵ６０に制動力を調整させることで、自車の車速を強制的に自動減速する。具体例としては、自車前方の物体に対するＴＴＣ（time to collision）が例えば５ｓｅｃ等の設定値を下回り、緊急制御条件が成立した場合に、自車の車速を強制的に自動減速させる。
【００６４】
ＬＣＡでは、現在走行中の車線から隣接車線へと自車を移動させる。ＬＣＡでは、車線変更が可能である場合に、車両制御ＥＣＵ６０によって隣接車線へ向かう方向への操舵力を発生させることにより、自車ＨＶを隣接車線へ移動させる。隣接車線への移動は、ドライバによる許可を要する構成であってもよいし、ドライバによる許可を要しない構成としてもよい。
【００６５】
警笛を自動で鳴らす機能では、規則判断部１００で判断した現況交通規則が「警笛鳴らせ」であった場合に、ボデーＥＣＵに警笛を吹鳴させる。規則判断部１００で判断した現況交通規則が「警笛区間」であった場合には、周辺監視ＥＣＵ４０から取得する自車前方の監視情報が、自車前方の見遠しがきかないことを示している場合に、ボデーＥＣＵに警笛を吹鳴させる。例えば、自車前方の監視情報が、自車前方の見遠しがきかないことを示している場合とは、周辺監視ＥＣＵ４０で検出した障害物が進路前方の視界を狭めいている場合である。自車前方の見遠しがきかないことの判断は、ＡＤＡＳロケータ２から得られる道路形状等をもとに行う構成としてもよい。
【００６６】
なお、支援部１１０は、周辺監視ＥＣＵ４０から取得する自車の左右後側方の監視情報に基づいて、自車の左右後側方領域の他車の存在をドライバに報知するＢＳＭ（Blind Spot Monitor）等、他の運転支援アプリを実行する構成としてもよい。
【００６７】
実施形態１では、支援部１１０が上述した運転支援アプリを複数実行することで、運転支援として、少なくとも所定の区間において自車の加速、制動、及び操舵の全てを自動で行わせる自動運転と、自動で警笛を吹鳴させる等の運転支援とを行う場合を例に挙げて以降の説明を続ける。なお、自動運転は、上述した運転支援アプリを複数実行する以外の方法で実現する構成としてもよい。
【００６８】
他にも、支援部１１０は、規則判断部１００で判断した現況交通規則に沿うように、運転支援アプリを実行する。一例として、現況交通規則が「追越し禁止」であれば、例えば先行車と自車との車間距離が詰まっており、先行車の追越しが好ましい状況と支援部１１０で判断される場合であっても、自動運転での自車による先行車の追越しを行わせない。
【００６９】
現況交通規則が「追越しのための右側部分はみ出し通行禁止」であれば、車線から右側部分にはみ出さず、追い抜く車両と１ｍ以上の幅を空けられる条件を満たすか否かに応じて自車を動作させる。先行車の追越しが好ましい状況であって、上述の条件を満たす場合には、自車による先行車の追越しを行わせる。一方、先行車の追越しが好ましい状況であって、上述の条件を満たさない場合には、自車による先行車の追越しを行わせない。
【００７０】
現況交通規則が「停止禁止部分」であれば、停止禁止部分を通過して自車を走行させる。現況交通規則が「立ち入り禁止部分」であれば、立ち入り禁止部分を避けるように自車を操舵制御して通過させる。現況交通規則が「安全地帯」であれば、安全地帯を避けるように自車を操舵制御して通過させる。現況交通規則が「導流帯」であれば、導流帯の隣接車線を走行中の自車が、導流帯を走行中の他車と合流する場合に、自車を減速させたり停止させたりすることで、その他車を優先して通行させる。
【００７１】
現況交通規則が「追越し車線を走行し続けてはいけない」であれば、自車を走行車線へ車線変更させる。現況交通規則が「警笛鳴らせ」、「警笛区間」の場合の自車の動作は、前述した通りである。現況交通規則が「信号機のない交差点での非優先道路からの進入時に一時停止しなければならない」、「一時停止」であれば、自車を一時停止位置で一時停止させる。現況交通規則が「最高速度」であれば、自車の速度を速度規制値に従った速度に制限させる。
【００７２】
提示制御部１２０は、規則判断部１００で判断した現況交通規則が規則ＤＢ８１に格納されている注目交通規則に該当し、且つ、その現況交通規則に沿うように支援部１１０で運転支援を行う場合に、動作理由情報を提示させる。動作理由情報とは、規則判断部１００で判断した現況交通規則に沿うように運転支援を行うことによる自車の動作の理由を示す情報である。提示させる動作理由情報は、規則判断部１００で判断した現況交通規則と、その現況交通規則に沿うように支援部１１０で運転支援を行うことによる自車の動作とをもとに、判断する。現況交通規則の情報と、現況交通規則に沿うように運転支援を行うことによる自車の動作の情報とは、支援部１１０から提示制御部１２０が得る構成とすればよい。
【００７３】
提示制御部１２０は、ＨＣＵ５０に指示を送り、表示デバイス及び／又はオーディオスピーカ５５から動作理由情報を提示させる。提示は、表示デバイスからのテキスト表示、表示デバイスからのアイコン表示、オーディオスピーカ５５からの音声出力の少なくとも一つによって行う。
【００７４】
動作理由情報の提示の一例を以下に述べる。例えば、現況交通規則が「追越し禁止」であり、自動運転での追越しを行わない場合には、「追越し禁止なので追越しを行いません」といった旨の動作理由情報を提示させる。現況交通規則が「追越しのための右側部分はみ出し通行禁止」であった場合には、車線から右側部分にはみ出さず、追い抜く車両と１ｍ以上の幅を空けられる条件を満たすか否かで異なる動作理由情報を提示させる。例えば、条件を満たし、自動運転での追越しを行う場合には、「規則通り右側部分にはみ出さないので、追越しを行います」といった旨の動作理由情報を提示させる。一方、条件を満たさず、自動運転での追越しを行わない場合には、「右側部分にはみ出すので規則に従い、追越しを行いません」といった旨の動作理由情報を提示させる。
【００７５】
現況交通規則が「停止禁止部分」であり、自動運転で停止禁止部分を通過する場合には、「侵入禁止でないので通過します」といった旨の動作理由情報を提示させる。現況交通規則が「立ち入り禁止部分」であり、自動運転で立ち入り禁止部分を避けて通過する場合には、「侵入禁止なので避けて通過します」といった旨の動作理由情報を提示させる。現況交通規則が「安全地帯」であり、自動運転で安全地帯を避けて通過する場合にも、「侵入禁止なので避けて通過します」といった旨の動作理由情報を提示させる。
【００７６】
現況交通規則が「導流帯」であって、導流帯の隣接車線を走行中の自車が、導流帯を走行中の合流車両に道を譲る場合には、「導流帯を走行する直進車両が優先なので譲ります」といった旨の動作理由情報を提示させる。
【００７７】
現況交通規則が「警笛鳴らせ」であり、自動で警笛を鳴らす場合には、「道路標識で規制されているので警笛を鳴らします」といった旨の動作理由情報を提示させる。現況交通規則が「警笛区間」である場合には、自車前方の見通しがきくか否かによって、異なる動作理由情報を提示させる。例えば、見通しがきき、警笛を鳴らさない場合には、「見通しがきくので警笛を鳴らしません」といった旨の動作理由情報を提示させる。一方、見通しがきかず、自動で警笛を鳴らす場合には、「見通しがきかないので警笛を鳴らします」といった旨の動作理由情報を提示させる。
現況交通規則が「追越し車線を走行し続けてはいけない」であり、自動運転で走行車線に車線変更する場合には、「追越し車線を走行し続けてはいけないので走行車線に復帰します」といった旨の動作理由情報を提示させる。現況交通規則が「信号機のない交差点での非優先道路からの進入時に一時停止しなければならない」であり、交差点進入時に自動運転で一時停止する場合には、「非優先道路からの進入なので一時停止します」といった旨の動作理由情報を提示させる。
【００７８】
また、提示制御部１２０は、動作理由情報を提示させた場合には、規則判断部１００で判断した現況交通規則とその現況交通規則に沿うように支援部１１０で運転支援を行うことによる自車の動作との対応関係（以下、事例）ごとに、動作理由情報の提示回数を学習用ＤＢ８２に記録する。
【００７９】
そして、提示制御部１２０は、動作理由情報を提示させる場合に、学習用ＤＢ８２に記録した事例ごとの動作理由情報の提示回数を参照し、同一の事例に対しての動作理由情報を提示させた回数が増加するのに応じて、その事例に対しての動作理由情報の提示を軽減させる。
【００８０】
動作理由情報の提示回数に応じた提示の軽減の一例としては、図１１に示すように、提示回数が増加するのに応じて、動作理由情報を提示する頻度を減らす構成とすればよい。図１１に示す例では、提示回数が４回未満の場合には提示頻度を毎回とし、提示回数が４回以上１０回未満の場合には提示頻度を２回に１回とし、提示回数が１０回以上の場合には提示頻度を５回に一回としている。なお、図１１の例はあくまで一例である。提示回数が増加するのに応じて動作理由情報を提示する頻度を減らすという関係を満たすのであれば、他の構成であってもよい。
【００８１】
＜動作理由提示関連処理＞
続いて、図１２のフローチャートを用いて、運転支援ＥＣＵ７での動作理由情報の提示に関連する処理（以下、動作理由提示関連処理）の流れの一例について説明を行う。図１２のフローチャートは、例えば、自車のイグニッション電源がオンになったときに開始する構成とすればよい。
【００８２】
まず、ステップＳ１では、規則判断部１００が、自車の走行環境における交通規則（つまり、現況交通規則）を判断する。ステップＳ２では、Ｓ１で現況交通規則が判断された場合、つまり、自車の走行環境における交通規則ありの場合（Ｓ２でＹＥＳ）には、ステップＳ３に移る。一方、Ｓ１で現況交通規則が判断されなかった場合、つまり、自車の走行環境における交通規則なしの場合（Ｓ２でＮＯ）には、ステップＳ８に移る。
【００８３】
ステップＳ３では、支援部１１０が運転支援を実行する場合、若しくは支援部１１０が運転支援を実行中の場合（Ｓ３でＹＥＳ）には、ステップＳ４に移る。支援部１１０が運転支援を実行する場合でも、支援部１１０が運転支援を実行中の場合でもない場合（Ｓ３でＮＯ）には、ステップＳ８に移る。支援部１１０が運転支援を実行する場合とは、Ｓ１で判断された現況交通規則をもとに支援部１１０が運転支援アプリを実行する場合を指している。支援部１１０が運転支援を実行中の場合とは、Ｓ１で現況交通規則が判断される以前から自車運転中である場合を指している。
【００８４】
ステップＳ４では、支援部１１０が、Ｓ１で判断された現況交通規則に沿った運転支援が必要である場合（Ｓ４でＹＥＳ）には、ステップＳ５に移る。一方、Ｓ１で判断された現況交通規則に沿った運転支援が必要でない場合（Ｓ４でＮＯ）には、ステップＳ８に移る。
【００８５】
ここで、Ｓ４において現況交通規則に沿った運転支援が必要でない（Ｓ４でＮＯ）と判断する一例を挙げる。一例としては、現況交通規則が「追越し禁止」であるが、先行車との車間距離が詰まらずにスムーズに走行しており、先行車の追越しが必要ない場合等である。他の例として、現況交通規則が「立ち入り禁止部分」であるが、立ち入り禁止部分を避けるように自車を操舵制御しなくても立ち入り禁止部分に侵入せずに通過可能な場合等がある。
【００８６】
ステップＳ５では、提示制御部１２０が、Ｓ１で判断した現況交通規則が規則ＤＢ８１に格納されている注目交通規則に該当するか否かを判断する。そして、注目交通規則に該当する場合（Ｓ５でＹＥＳ）には、ステップＳ６に移る。一方、注目交通規則に該当しない場合（Ｓ５でＮＯ）には、ステップＳ７に移る。
【００８７】
ステップＳ６では、提示制御部１２０が、Ｓ１で判断した現況交通規則と、その現況交通規則に沿うように支援部１１０で運転支援を行うことによる自車の動作とをもとに、動作理由情報を提示させる。動作理由情報の提示の一例は前述した通りである。また、動作理由情報を提示させる場合には、前述したように、同一の事例に対しての動作理由情報を提示させた回数が増加するのに応じて、その事例に対しての動作理由情報の提示を軽減させることが好ましい。
【００８８】
ステップＳ７では、支援部１１０が、車両制御ＥＣＵ６０に指示を行い、Ｓ１で判断された現況交通規則に沿った運転支援を行わせる。Ｓ１で判断された現況交通規則に沿った運転支援を行わせることにより、この現況交通規則に沿うように自車が動作する。
【００８９】
ここで、Ｓ７における現況交通規則に沿う自車の動作の一例としては、現況交通規則が「追越し禁止」であり、先行車の追越しが好ましい状況である場合の、自車が先行車の追越しを行わない動作がある。他の例として、現況交通規則が「立ち入り禁止部分」であり、立ち入り禁止部分を避けるように自車を操舵制御しなければ立ち入り禁止部分に侵入する場合の、自車が立ち入り禁止部分を避ける動作等がある。
【００９０】
ステップＳ８では、動作理由提示関連処理の終了タイミングであった場合（Ｓ８でＹＥＳ）には、動作理由提示関連処理を終了する。一方、動作理由提示関連処理の終了タイミングでなかった場合（Ｓ８でＮＯ）には、Ｓ１に戻って処理を繰り返す。動作理由提示関連処理の終了タイミングの一例としては、自車のイグニッション電源がオフとなったこと等がある。
【００９１】
なお、提示理由情報の提示は、現況交通規則に沿った運転支援の後で行う構成としてもよい。しかしながら、現況交通規則に沿った運転支援による自車の動作に対するドライバの違和感を低減する効果をより高めるためには、図１２のフローチャートで示すように、提示理由情報の提示は、現況交通規則に沿った運転支援の前に行うことが好ましい。
【００９２】
＜実施形態１のまとめ＞
実施形態１の構成によれば、ドライバが正しく覚えていない交通規則に沿うように支援部１１０が運転支援を行い、自車がドライバの想定する動作と異なる動作をする場合であっても、自車の動作の理由を示す動作理由情報が提示されるので、ドライバは運転支援による自車の動作が正しいことを認識できる。従って、ドライバが交通規則を正しく覚えていない場合であっても、ドライバが運転支援に対して違和感を抱きにくくなる。その結果、運転支援による自車の動作に、ドライバが誤った不満及び不安を感じにくくなる。
【００９３】
一例について、以下に述べる。例えば、ドライバが「追越し禁止」の規制標識を正しく覚えていない場合には、ドライバが先行車の追越しが好ましいと判断する状況であっても自動運転で追越しが行われないと、ドライバは自動運転に違和感を抱いてしまう場合がある。これに対して、実施形態１の構成によれば、「追越し禁止なので追越しを行いません」といった旨の動作理由情報を提示させるので、ドライバは追越しを行わない理由を認識することができ、自動運転に違和感を抱きにくくなる。
【００９４】
また、ドライバが「追越しのための右側部分はみ出し通行禁止」の規制標識を「追越し禁止」の規制標識と混同して覚えている場合には、自動運転で先行車の追越しが行われると、ドライバは自動運転に違和感を抱いてしまう場合がある。これに対して、実施形態１の構成によれば、「規則通り右側部分にはみ出さないので、追越しを行います」といった旨の動作理由情報を提示させるので、ドライバは追越しを行う理由を認識することができ、自動運転に違和感を抱きにくくなる。
【００９５】
また、ドライバが「立ち入り禁止部分」の規制標示を、「停止禁止部分」の規制標示と混同して覚えている場合には、自動運転で立ち入り禁止部分を避けて走行が行われると、ドライバは自動運転に違和感を抱いてしまう場合がある。これに対して、実施形態１の構成によれば、「侵入禁止なので避けて通過します」といった旨の動作理由情報を提示させるので、ドライバは立ち入り禁止部分を避けて走行を行う理由を認識することができ、自動運転に違和感を抱きにくくなる。
【００９６】
また、ドライバが「導流帯」の区画線を、侵入禁止と誤って覚えている場合には、導流帯の隣接車線を走行中の自動運転中の自車が、導流帯を走行中の合流車両に道を譲る場合には、ドライバは自動運転に違和感を抱いてしまう場合がある。これに対して、実施形態１の構成によれば、「導流帯を走行する直進車両が優先なので譲ります」といった旨の動作理由情報を提示させるので、ドライバは導流帯を走行する車両を優先させる理由を認識することができ、自動運転に違和感を抱きにくくなる。
【００９７】
また、ドライバが「警笛区間」の規制標識を、「警笛鳴らせ」の規制標識と混同して覚えている場合には、「警笛区間」の規制標識が設置された地点以外の警笛区間で自動での警笛の吹鳴が行われると、ドライバは自動での警笛の制御に違和感を抱いてしまう場合がある。これに対して、実施形態１の構成によれば、「見通しがきかないので警笛を鳴らします」といった旨の動作理由情報を提示させるので、ドライバは警笛の吹鳴を行う理由を認識することができ、自動での警笛の制御に違和感を抱きにくくなる。
【００９８】
また、ドライバが「追越し車線を走行し続けてはいけない」規則を、覚えていない場合には、自動運転で追越し車線から走行車線への車線変更が行われると、ドライバは自動運転に違和感を抱いてしまう場合がある。これに対して、実施形態１の構成によれば、「追越し車線を走行し続けてはいけないので走行車線に復帰します」といった旨の動作理由情報を提示させるので、ドライバは追越し車線から走行車線への車線変更立を行う理由を認識することができ、自動運転に違和感を抱きにくくなる。
【００９９】
また、ドライバが「信号機のない交差点での非優先道路からの進入時に一時停止しなければならない」規則を、覚えていない場合には、自動運転で交差点進入時に一時停止が行われると、ドライバは自動運転に違和感を抱いてしまう場合がある。これに対して、実施形態１の構成によれば、「非優先道路からの進入なので一時停止します」といった旨の動作理由情報を提示させるので、ドライバは一時停止を行う理由を認識することができ、自動運転に違和感を抱きにくくなる。
【０１００】
他にも、実施形態１の構成によれば、運転支援を沿わせる現況交通規則が同一の事例に対しての、動作理由情報を提示させた回数が増加するのに応じて、その動作理由情報の提示を軽減させる。よって、自車の動作の理由をドライバが理解する度合いが進み、動作理由情報の提示に対してドライバが煩わしさを感じる可能性が高まるにつれ、動作理由情報の提示を軽減させ、煩わしさを生じさせにくくすることができる。
【０１０１】
（変形例１）
実施形態１では、動作理由情報の提示回数に応じた提示の軽減の一例としては、提示回数が増加するのに応じて、動作理由情報を提示する頻度を減らす構成を示したが、必ずしもこれに限らない。例えば、運転支援を沿わせる現況交通規則が同一の事例に対しての、動作理由情報を提示させた回数が閾値に達した場合に、その事例に対しての動作理由情報の提示を停止する構成（以下、変形例１）としてもよい。ここで言うところの閾値は、任意に設定可能な値とする。
【０１０２】
図１３に示す例では、提示回数が１０回を閾値とし、提示回数が１０回未満の場合には提示を行い、提示回数が１０回以上の場合には提示を停止する。なお、図１３の例はあくまで一例である。提示回数が閾値に達した場合に動作理由情報の提示を停止するという関係を満たすのであれば、他の構成であってもよい。
【０１０３】
また、実施形態１と変形例１とを組み合わせる構成としてもよい。この場合には、動作理由情報の提示回数が閾値に達するまでは、提示回数が増加するのに応じて動作理由情報を提示する頻度を減らし、提示回数が閾値に達した場合に動作理由情報の提示を停止する構成とすればよい。
【０１０４】
（変形例２）
また、運転支援を沿わせる現況交通規則が同一の事例に対しての、動作理由情報を提示させた回数が増加するのに応じて動作理由情報の提示態様を変えさせることで、動作理由情報の提示を軽減させる構成（以下、変形例２）としてもよい。
【０１０５】
図１４に示す例では、提示回数が４回未満の場合には、表示デバイスからのテキスト表示及びアイコン表示とオーディオスピーカ５５からの音声出力との全てを行わせる。提示回数が４回以上１０回未満の場合には、オーディオスピーカ５５からの音声出力を行わせず、表示デバイスからのテキスト表示及びアイコン表示を行わせる。提示回数が１０回以上の場合には、オーディオスピーカ５５からの音声出力と表示デバイスからのテキスト表示を行わせず、表示デバイスからのアイコン表示を行わせる。このように、動作理由情報を提示させた回数が増加するのに応じて、提示させる動作理由情報の情報量が減らされるように動作理由情報の提示態様を変化させることで、動作理由情報の提示を軽減させる。言い換えると、初めて提示する動作理由情報である場合及び提示回数が所定値未満の動作理由情報を提示する場合は、複数の情報伝達手段（例えばテキスト表示、アイコン表示、音声出力）によって動作理由情報が提示され、その後は提示回数の増加に伴い情報伝達手段を減少させる。
【０１０６】
なお、図１４の例はあくまで一例である。提示回数が増加するのに応じて動作理由情報の提示態様を変えさせることで動作理由情報の提示を軽減させるという関係を満たすのであれば、他の構成であってもよい。例えば、提示態様を変更する際の所定値としての提示回数を５回とし、５回未満の場合はテキスト表示、アイコン表示、及び音声出力の全てを行わせ、５回以上の場合はアイコン表示を行うようにしてもよい。
【０１０７】
また、変形例１と変形例２とを組み合わせる構成としてもよい。この場合には、動作理由情報の提示回数が閾値に達するまでは、提示回数が増加するのに応じて動作理由情報の提示態様を変化させ、提示回数が閾値に達した場合に動作理由情報の提示を停止する構成とすればよい。他にも、実施形態１と変形例２とを組み合わせる構成、実施形態１と変形例１と変形例２とを組み合わせる構成としてもよい。
【０１０８】
（実施形態２）
続いて、本発明の実施形態２について図面を用いて説明する。実施形態２の運転支援システム１は、運転支援ＥＣＵ７の代わりに運転支援ＥＣＵ７ａを含む点を除けば、実施形態１の運転支援システムと同様である。
【０１０９】
以下では、図１５を用いて、実施形態２における運転支援ＥＣＵ７ａの概略的な構成の一例について説明を行う。運転支援ＥＣＵ７ａは、提示制御部１２０の代わりに提示制御部１２０ａを備える点と、切替部１３０及び違反検出部１４０を備える点とを除けば、実施形態１の運転支援ＥＣＵ７と同様である。この運転支援ＥＣＵ７ａも請求項の運転支援装置に相当する。
【０１１０】
切替部１３０は、支援部１１０での運転支援の実施と不実施との設定を切り替える。例えば、切替部１３０での運転支援の実施と不実施との設定の切り替えは、操作デバイス５１を介したドライバの入力操作に従って行う構成とすればよい。切替部１３０での運転支援の実施と不実施との設定の切り替えは、複数の運転支援アプリの実施と不実施とを個別に設定する構成であってもよいし、複数の運転支援アプリの実施と不実施とをまとめて設定する構成であってもよい。
【０１１１】
違反検出部１４０は、自車のドライバの運転操作による、注目交通規則に該当する現況交通規則の違反を検出する。違反検出部１４０は、現況交通規則が注目交通規則に該当するか否かは、規則判断部１００で判断した現況交通規則と規則ＤＢ８１に格納されている注目交通規則とを比較することで判断すればよい。自車のドライバの運転操作によるか否かは、切替部１３０で運転支援が実施と不実施とのいずれに切り替えられているかによって判断すればよい。現況交通規則の違反は、周辺監視ＥＣＵ４０、車両制御ＥＣＵ６０等から得られる情報をもとに検出すればよい。
【０１１２】
一例として、交通規則「追越し禁止」の違反については、周辺監視ＥＣＵ４０から逐次得られる自車に対する先行車の位置が、自車前方から自車側方へ変化することから検出すればよい。交通規則「立ち入り禁止部分」の違反については、周辺監視ＥＣＵ４０から逐次得られる立ち入り禁止部分の道路標示の位置が、自車前方から自車に重なる位置に変化することから検出すればよい。交通規則「追越し車線を走行し続けてはいけない」の違反については、周辺監視ＥＣＵ４０から逐次得られる自車の走行中の車線と自車周辺の物体の情報とをもとに、自車側方の走行車線に物体が存在しないにも関わらず、自車が追越し車線を一定時間以上走行することから検出すればよい。交通規則「信号機のない交差点での非優先道路からの進入時に一時停止しなければならない」の違反については、車両制御ＥＣＵ６０から得られる自車の走行速度が、交差点進入時までに０ｋｍ／ｈとならないことから検出すればよい。
【０１１３】
違反検出部１４０は、違反を検出した場合には、違反を検出した現況交通規則を、違反を検出した現況交通規則として学習用ＤＢ８２に記録する。また、違反検出部１４０は、学習用ＤＢ８２において動作理由情報の提示回数が記録された事例のうち、違反を検出した現況交通規則と同一の現況交通規則が対応付けられた事例が存在する場合には、この事例について記録されている動作理由情報の提示回数を減少させる。
【０１１４】
提示制御部１２０ａは、違反検出部１４０で違反を検出した現況交通規則に沿うように支援部１１０で運転支援を行う場合の処理を除けば、実施形態１の提示制御部１２０と同様である。
【０１１５】
提示制御部１２０ａは、注目交通規則に該当する現況交通規則に沿うように支援部１１０で運転支援を行う際に、その現況交通規則が、違反を検出した現況交通規則として学習用ＤＢ８２に記録されていた場合には、違反を検出した現況交通規則として記録されていなかった場合に比べて、動作理由情報の内容を詳しく提示させる。
【０１１６】
一例としては、違反を検出した現況交通規則として記録されていなかった場合には、交通規則の内容まで提示させないのに対し、違反を検出した現況交通規則として記録されていなかった場合には、交通規則の内容まで提示させる等が挙げられる。
【０１１７】
学習用ＤＢ８２への違反を検出した現況交通規則の記録は、その現況交通規則に沿うように支援部１１０で運転支援を行う動作について動作理由情報を提示させた場合に消去する構成とすればよい。なお、動作理由情報を提示させた回数が所定の複数回に達した場合に消去する構成としてもよい。
【０１１８】
また、提示制御部１２０ａは、動作理由情報の内容を提示させる場合に、学習用ＤＢ８２に記録されている提示回数を違反検出部１４０によって減少させた事例については、動作理由情報の提示を提示回数に応じて軽減させていた場合であっても、その軽減を弱める。
【０１１９】
なお、提示制御部１２０ａは、違反検出部１４０で違反を検出した場合であっても、現況交通規則の違反を直接的に示す情報提示を行わせないものとする。交通規則「追越し禁止」の違反を例に挙げると、「追越し禁止の規則に違反しました」といった、現況交通規則の違反を直接的に示す情報提示を行わせないものとする。
【０１２０】
実施形態２の構成によっても、実施形態１と同様に、ドライバが交通規則を正しく覚えていない場合であっても、ドライバが運転支援に対して違和感を抱きにくくなる。
【０１２１】
また、実施形態２の構成によれば、運転支援の不実施時においてドライバが現況交通規則に違反した場合であっても、現況交通規則の違反を直接的に示す情報提示を行わせない。一方、その現況交通規則に沿った運転支援時における動作理由情報を、より詳しくさせたり、提示回数に応じた軽減を弱めたりすることで、その現況交通規則の遵守をドライバに促す。よって、その現況交通規則の違反を直接的にドライバに指摘せずに、その現況交通規則の遵守の重要性をドライバに気付かせることができる。その結果、現況交通規則の違反を直接的に指摘されることに反発を覚えるドライバであっても、その現況交通規則を遵守しなければならないことを受け容れやすくなる。
【０１２２】
なお、現況交通規則の遵守をドライバに促す効果をより高めるためには、違反を検出した現況交通規則と同一の現況交通規則が対応付けられた事例について学習用ＤＢ８２に記録されている提示回数を、違反検出部１４０によって０にし、提示回数に応じた動作理由情報の軽減を取りやめる構成とすることがより好ましい。
【０１２３】
（変形例３）
実施形態２では、現況交通規則の違反を検出した場合に、その現況交通規則に沿った運転支援時における動作理由情報をより詳しくさせるとともに、動作理由情報の提示回数に応じた軽減を弱める構成を示したが、必ずしもこれに限らない。例えば、現況交通規則の違反を検出した場合に、その現況交通規則に沿った運転支援時における動作理由情報をより詳しくさせる処理を行わない構成としてもよい。また、現況交通規則の違反を検出した場合に、動作理由情報の提示回数に応じた軽減を弱める処理を行わない構成としてもよい。
【０１２４】
（変形例４）
実施形態２では、提示制御部１２０ａが、違反検出部１４０で違反を検出した場合であっても、現況交通規則の違反を直接的に示す情報提示を行わせない構成を示したが、必ずしもこれに限らない。例えば、提示制御部１２０ａが、違反検出部１４０で違反を検出した場合に、現況交通規則の違反を直接的に示す情報提示を行わせる構成としてもよい。
【０１２５】
（実施形態３）
続いて、本発明の実施形態３について図面を用いて説明する。実施形態３の運転支援システム１は、運転支援ＥＣＵ７の代わりに運転支援ＥＣＵ７ｂを含む点を除けば、実施形態１の運転支援システムと同様である。
【０１２６】
以下では、図１６を用いて、実施形態３における運転支援ＥＣＵ７ｂの概略的な構成の一例について説明を行う。運転支援ＥＣＵ７ｂは、規則判断部１００の代わりに規則判断部１００ｂを備える点と、提示制御部１２０の代わりに提示制御部１２０ｂを備える点と、規則ＤＢ８１と接続される代わりに規則ＤＢ８１ｂと接続される点と、学習用ＤＢ８２と接続される代わりに学習用ＤＢ８２ｂと接続される点と、地域特定部１５０を備える点とを除けば、実施形態１の運転支援ＥＣＵ７と同様である。この運転支援ＥＣＵ７ｂも請求項の運転支援装置に相当する。
【０１２７】
規則ＤＢ８１ｂは、注目交通規則として、地域によって異なる交通規則も含む点を除けば、実施形態１の規則ＤＢ８１と同様である。例えば、規則ＤＢ８１ｂは、自車のおかれる状況によって定められた交通規則であって、この状況が同一であるにも関わらず、地域によって規則の内容が異なる交通規則（以下、地域別交通規則）を、注目交通規則として格納している。地域別交通規則は、自車のおかれた状況ごとに、地域と対応付けて規則ＤＢ８１ｂに格納されるものとする。規則ＤＢ８１ｂも請求項の規則格納部に相当する。
【０１２８】
ここで言うところの地域とは、国単位であってもよいし、国よりも小さな単位であってもよいし、国よりも大きい単位であってもよい。また、同じ国であっても、一部は別の国と同じ区分けになる単位であってもよい。
【０１２９】
地域別交通規則の一例としては、自車前方のスクールバスが停車中という状況に対しての、Ａ地域での「スクールバスの追越し可能」、Ｂ地域での「スクールバスの追越し禁止」といった交通規則等が挙げられる。以降では、この例に従って説明を続ける。
【０１３０】
地域特定部１５０は、ＡＤＡＳロケータ２から得られる自車位置をもとに、自車の位置する地域を特定する。例えば、地域別にその地域に属する緯度／経度の座標の範囲が定められた情報を参照することで、自車位置をもとに自車の位置する地域を特定すればよい。
【０１３１】
規則判断部１００ｂは、地域特定部１５０で特定した自車の位置する地域を用いて、自車の位置する地域に応じた現況交通規則を判断する点を除けば、実施形態１の規則判断部１００と同様である。
【０１３２】
自車の位置する地域に応じた、道路標識若しくは道路標示が示す交通規則を判断する一例としては、道路標識若しくは道路標示とそれが示す交通規則の内容とを対応付けた地域別のテーブルを参照する等の方法がある。このテーブルは、例えば規則ＤＢ８１ｂに格納されていてもよい。
【０１３３】
自車の位置する地域に応じた、道路標識及び道路標示で示される以外の交通規則を判断する一例としては、自車がおかれた状況と、それが示す交通規則の内容とを対応付けた地域別のテーブルを参照する等の方法がある。このテーブルは、例えば規則ＤＢ８１ｂに格納されていてもよい。自車がおかれた状況については、周辺監視ＥＣＵ４０から得られる監視情報をもとに規則判断部１００ｂで特定する構成とすればよい。
【０１３４】
学習用ＤＢ８２ｂには、地域別交通規則に該当する現況交通規則に沿うように支援部１１０で運転支援を行った場合に、提示制御部１２０ｂによって、規則ＤＢ８１ｂにおいてその現況交通規則と同じ交通規則に対応付けられている自車のおかれた状況と、自車の位置する地域とが対応付けて記録される。提示制御部１２０は、自車のおかれた状況を、支援部１１０を介して規則判断部１００ｂから得る構成とすればよい。また、提示制御部１２０は、自車の位置する地域を、地域特定部１５０から得る構成とすればよい。
【０１３５】
提示制御部１２０ｂは、学習用ＤＢ８２ｂに記録を行う上述の処理と、以下で説明する処理とを行う点を除けば、実施形態１の提示制御部１２０と同様である。提示制御部１２０ｂは、規則判断部１００で判断した現況交通規則が、規則ＤＢ８１に格納されている地域別交通規則に該当するか判断する。そして、地域別交通規則に該当すると判断した場合には、規則ＤＢ８１において、その地域別交通規則に対応付けられている、自車のおかれた状況を特定する。
【０１３６】
続いて、提示制御部１２０ｂは、特定した自車のおかれた状況をもとに、学習用ＤＢ８２ｂにおいて、その状況と対応付けられている地域（以下、過去地域）を特定する。そして、自車のおかれた状況ごとに地域と対応付けて規則ＤＢ８１に格納されている地域別交通規則のうちの、特定した過去地域に対応する地域別交通規則と、地域特定部１５０で特定した現在の自車が位置する地域に対応する地域別交通規則とを比較する。そして、比較した両者が異なっていた場合には、規則判断部１００ｂで判断した現況交通規則に沿うように支援部１１０で運転支援を行う場合に、動作理由情報を提示させる。また、この際、提示制御部１２０ｂは、学習用ＤＢ８２における、その現況交通規則と同じ交通規則に対応付けられている自車のおかれた状況と自車の位置する地域との対応関係の記録を、現在の自車が位置する地域に置き換えて更新すればよい。
【０１３７】
ここで、「スクールバスの追越し可能」という交通規則のＡ地域から、「スクールバスの追越し禁止」という交通規則のＢ地域に自車が移った場合を例に挙げて動作理由情報の提示についての説明を行う。
【０１３８】
自車がＡ地域からＢ地域に移り、自車前方のスクールバスが停車中という状況に初めて遭遇した場合に、Ｂ地域での現況交通規則「スクールバスの追越し禁止」に沿うように支援部１１０がスクールバス後方に自車を自動で停車させる。この場合に、「スクールバスの追越し禁止ですので停車します」といった旨の動作理由情報を提示制御部１２０ｂが予め提示させる。
【０１３９】
また、提示制御部１２０ｂは、地域別交通規則に沿うように運転支援を行うことによる動作理由情報を提示させる場合には、地域別交通規則以外の注目交通規則に沿うように運転支援を行うことによる動作理由情報を提示させる場合に比べて、動作理由情報の内容を詳しく提示させることが好ましい。例えば、「スクールバスの追越し禁止ですので停車します」といった提示内容よりも詳しく、「Ｂ地域ではスクールバスの追越し禁止ですので停車します」といった提示内容とすればよい。他にも、自車の位置する地域の切替前後での交通規則を対比して提示させる等してもよい。
【０１４０】
実施形態３の構成によっても、実施形態１と同様に、ドライバが交通規則を正しく覚えていない場合であっても、ドライバが運転支援に対して違和感を抱きにくくなる。また、実施形態３の構成によれば、ドライバが地域によって異なる交通規則を正しく覚えていない場合であっても、自車の動作の理由を示す動作理由情報が提示されることにより、ドライバが運転支援に対して違和感を抱きにくくなる。
【０１４１】
なお、地域別の道路標識及び道路標示が示す交通規則をこの地域と対応付けて、注目交通規則として規則ＤＢ８１ｂに格納しておいてもよい。そして、地域特定部１５０で特定される地域が切り替わった場合であって、現況交通規則が、規則ＤＢ８１ｂに格納されている、切り替わり前の地域との間で異なる交通規則に該当し、且つ、その現況交通規則に沿うように支援部１１０で運転支援を行う場合に、動作理由情報を提示させてもよい。
【０１４２】
（変形例５）
実施形態１〜３では、少なくとも所定の区間において自車の加速、制動、及び操舵の全てを自動で行わせる自動運転を行う構成に適用する場合の例を示したが、必ずしもこれに限らない。例えば、自車の加速、制動、及び操舵の一部を自動で行わせる運転支援に適用する構成としてもよい。
【０１４３】
（変形例６）
実施形態１〜３では、自車の加速、制動、操舵といった自車の挙動を制御する運転支援と、自動で警笛を吹鳴させるといった自車の挙動以外を制御する運転支援とのいずれも行う構成に適用する場合の例を示したが、必ずしもこれに限らない。例えば、自車の挙動を制御する運転支援にのみ適用する構成としてもよいし、自車の挙動以外を制御する運転支援にのみ適用する構成としてもよい。
【０１４４】
また、警告を出力することによって行う運転支援に適用する構成としてもよい。この構成によれば、ドライバの想定していない警告を出力する場合であっても、警告を出力する理由を示す動作理由情報が提示されるので、ドライバは運転支援による警告の出力が正しいことを認識できる。
【０１４５】
（変形例７）
実施形態１〜３では、ＤＢ８が自車に搭載される構成を示したが、必ずしもこれに限らない。例えば、ＤＢ８は自車の外部のサーバ装置に備えられる構成としてもよい。この場合、運転支援ＥＣＵ７，７ａ，７ｂは、車載通信モジュール等を介してＤＢ８にアクセスする構成とすればよい。
【０１４６】
なお、本発明は、上述した実施形態及び変形例に限定されるものではなく、請求項に示した範囲で種々の変更が可能であり、異なる実施形態及び変形例にそれぞれ開示された技術的手段を適宜組み合わせて得られる実施形態についても本発明の技術的範囲に含まれる。
【符号の説明】
【０１４７】
１  運転支援システム、２  ＡＤＡＳロケータ、７，７ａ，７ｂ  運転支援ＥＣＵ（運転支援装置）、８  ＤＢ、４０  周辺監視ＥＣＵ、５０  ＨＣＵ、６０  車両制御ＥＣＵ、８１，８１ｂ  規則ＤＢ、８２，８２ｂ  学習用ＤＢ、１００，１００ｂ  規則判断部、１１０  支援部、１２０，１２０ａ，１２０ｂ  提示制御部、１３０  切替部、１４０  違反検出部、１５０  地域特定部
【図１】
0006515814.tif 000002
【図２】
0006515814.tif 000003
【図３】
0006515814.tif 000004
【図４】
0006515814.tif 000005
【図５】
0006515814.tif 000006
【図６】
0006515814.tif 000007
【図７】
0006515814.tif 000008
【図８】
0006515814.tif 000009
【図９】
0006515814.tif 000010
【図１０】
0006515814.tif 000011
【図１１】
0006515814.tif 000012
【図１２】
0006515814.tif 000013
【図１３】
0006515814.tif 000014
【図１４】
0006515814.tif 000015
【図１５】
0006515814.tif 000016
【図１６】
0006515814.tif 000017